(57)【特許請求の範囲】
【請求項１】
端末装置と、前記端末装置に第１の通信ネットワークを介して接続されるシステム運営者サーバと、前記システム運営者サーバに第２の通信ネットワークを介して接続されるコンテンツ提供サーバと、を備えるコンテンツ表示システムであって、
前記システム運営者サーバは、
前記コンテンツ提供サーバにより提供されるコンテンツに対する前記端末装置からの本表示要求又はプレビュー要求を受け付ける要求受付部と、
前記本表示要求又は前記プレビュー要求に対応するコンテンツを前記コンテンツ提供サーバから取得して、本表示又はプレビュー表示用のコンテンツとして前記端末装置に提供する表示処理部と、
を備え、
前記表示処理部は、前記プレビュー表示用のコンテンツ上での前記端末装置からの文字入力を禁止する処理を施すことを特徴とするコンテンツ表示システム。
【請求項２】
前記端末装置には、コンテンツ上での文字入力用のアプリケーションが実装されており、
前記表示処理部は、前記プレビュー表示用のコンテンツ上で前記アプリケーションを起動させない信号を前記端末装置に送ることにより、前記プレビュー表示用のコンテンツ上での前記端末装置からの文字入力を禁止する、請求項１に記載のコンテンツ表示システム。
【請求項３】
前記コンテンツ提供サーバにより提供されるコンテンツには、コンテンツ上での文字入力用のボタン又はウィンドウを表示するためのリンクが含まれており、
前記表示処理部は、前記プレビュー表示用のコンテンツ上で前記リンクを無効にすることにより、前記プレビュー表示用のコンテンツ上での前記端末装置からの文字入力を禁止する、請求項１に記載のコンテンツ表示システム。
【請求項４】
第１の通信ネットワークを介して端末装置に接続されるとともに、第２の通信ネットワークを介してコンテンツ提供サーバに接続されるシステム運営者サーバであって、
前記システム運営者サーバは、
前記コンテンツ提供サーバにより提供されるコンテンツに対する前記端末装置からの本表示要求又はプレビュー要求を受け付ける要求受付部と、
前記本表示要求又は前記プレビュー要求に対応するコンテンツを前記コンテンツ提供サーバから取得して、本表示又はプレビュー表示用のコンテンツとして前記端末装置に提供する表示処理部と、
を備え、
前記表示処理部は、前記プレビュー表示用のコンテンツ上での前記端末装置からの文字入力を禁止する処理を施すことを特徴とするシステム運営者サーバ。
【発明の詳細な説明】
【技術分野】
【０００１】
本発明は、端末装置とシステム運営者サーバとコンテンツ提供サーバとで構成されるコンテンツ表示システムに関し、特に、コンテンツの閲覧時に不用意に個人情報を入力するのを防止する技術に関する。
【背景技術】
【０００２】
近年、Ｗｅｂページを経由した商品／サービスの申込が普及してきている。その場合、商品／サービスの提供者は、申込者の特定を行ったり、申込者に個人情報（例えば、住所やクレジットカード番号など）を求めたりする必要があるが、従来は、Ｗｅｂサイトにアクセスした申込者が、その都度、自らの個人情報を入力したり（特許文献１参照）、Ｗｅｂサイト側でＩＰアドレスを取得して、個人の特定（申込者の特定）を行うなどしている（例えば、特許文献２参照）。
【先行技術文献】
【特許文献】
【０００３】
【特許文献１】特開２００２−３４２１９９号公報
【特許文献２】特開２００２−２０７９２９号公報
【発明の概要】
【発明が解決しようとする課題】
【０００４】
しかしながら、デジタル機器を使い慣れない利用者（例えば高齢者など）にとって、インターネット上から適切なコンテンツ提供企業のＷｅｂサイトを見つけることは必ずしも容易ではなく、安易に個人情報の登録やコンテンツの購読をしてしまうおそれがある。したがって、そのような利用者が安易に個人情報の登録やコンテンツの購読をしてしまわないよう、利用者のＷｅｂ体験を適切にコントロールする仕組み、すなわち、Ｗｅｂサイトでコンテンツを閲覧するときに、利用者が真に必要としているＷｅｂサイトでないにも拘わらず、不用意に個人情報を入力するのを防止できるような仕組みが求められている。
【０００５】
本発明は、上記の課題に鑑みてなされたもので、利用者がコンテンツを閲覧しているときに、不用意に個人情報等を入力してしまうのを防止することのできるコンテンツ表示システムを提供することを目的とする。
【課題を解決するための手段】
【０００６】
本発明のコンテンツ表示システムは、端末装置と、前記端末装置に第１の通信ネットワークを介して接続されるシステム運営者サーバと、前記システム運営者サーバに第２の通信ネットワークを介して接続されるコンテンツ提供サーバと、を備えるコンテンツ表示システムであって、前記システム運営者サーバは、前記コンテンツ提供サーバにより提供されるコンテンツに対する前記端末装置からのプレビュー要求を受け付けるプレビュー要求受付部と、前記プレビュー要求に対応するコンテンツを前記コンテンツ提供サーバから取得して、プレビュー表示用のコンテンツとして前記端末装置に提供するプレビュー表示処理部と、を備え、前記プレビュー表示処理部は、前記プレビュー表示用のコンテンツ上での前記端末装置からの文字入力を禁止する処理を施すものである。
【０００７】
このコンテンツ表示システムでは、コンテンツ提供サーバにより提供されるコンテンツを端末装置からプレビューで閲覧しようとするときに、端末装置からシステム運営者サーバへプレビュー要求が送られる。システム運営者サーバは、そのプレビュー要求に対応するコンテンツをコンテンツ提供サーバから取得して、プレビュー表示用のコンテンツとして端末装置に提供する。このとき、プレビュー表示用のコンテンツには、そのコンテンツ（プレビュー表示用のコンテンツ）上での端末装置からの文字入力を禁止する処理が施される。したがって、利用者（端末装置のユーザ）がプレビューでコンテンツを閲覧しているときに、不用意に個人情報等を入力してしまうのを防止することができる。
【０００８】
また、本発明のコンテンツ表示システムでは、前記端末装置には、コンテンツ上での文字入力用のアプリケーションが実装されており、前記プレビュー表示処理部は、前記アプリケーションを起動させない信号を前記端末装置に送ることにより、前記プレビュー表示用のコンテンツ上での前記端末装置からの文字入力を禁止してもよい。
【０００９】
これにより、コンテンツ上での文字入力用のアプリケーション（キーボードアプリケーション）が端末装置に実装されている場合には、システム運営者サーバから送られる信号により、プレビュー表示用のコンテンツ上では、そのアプリケーションが起動されないように制御することができる。
【００１０】
また、本発明のコンテンツ表示システムでは、前記コンテンツ提供サーバにより提供されるコンテンツには、コンテンツ上での文字入力用のボタン又はウィンドウを表示するためのリンクが含まれており、前記プレビュー表示処理部は、前記リンクを無効にすることにより、前記プレビュー表示用のコンテンツ上での前記端末装置からの文字入力を禁止してもよい。
【００１１】
これにより、コンテンツ提供サーバにより提供されるコンテンツに、そのコンテンツ上での文字入力用のボタン又はウィンドウを表示するためのリンク（ソフトウェアキーボード用のＵＲＬへのリンク）が含まれている場合には、システム運営者サーバでそのリンクを無効にすることにより、プレビュー表示用のコンテンツに含まれる文字入力用のボタンを無効化することができ、また、ウィンドウが表示されないようにすることができる。
【００１２】
本発明のシステム運営者サーバは、第１の通信ネットワークを介して端末装置に接続されるとともに、第２の通信ネットワークを介してコンテンツ提供サーバに接続されるシステム運営者サーバであって、前記システム運営者サーバは、前記コンテンツ提供サーバにより提供されるコンテンツに対する前記端末装置からのプレビュー要求を受け付けるプレビュー要求受付部と、前記プレビュー要求に対応するコンテンツを前記コンテンツ提供サーバから取得して、プレビュー表示用のコンテンツとして前記端末装置に提供するプレビュー表示処理部と、を備え、前記プレビュー表示処理部は、前記プレビュー表示用のコンテンツ上での前記端末装置からの文字入力を禁止する処理を施すものである。
【００１３】
このシステム運営者サーバによっても、上記と同様に、プレビュー表示用のコンテンツとして端末装置に提供するときに、プレビュー表示用のコンテンツに、そのコンテンツ（プレビュー表示用のコンテンツ）上での端末装置からの文字入力を禁止する処理が施される。したがって、利用者（端末装置のユーザ）がプレビューでコンテンツを閲覧しているときに、不用意に個人情報等を入力してしまうのを防止することができる。
【発明の効果】
【００１４】
本発明によれば、プレビュー表示用のコンテンツ上で端末装置からの文字入力が禁止されるので、端末装置のユーザ（利用者）がプレビューでコンテンツを閲覧しているときに、不用意に個人情報等を入力してしまうのを防止することができる。
【図面の簡単な説明】
【００１５】
【図１】本発明の実施の形態におけるコンテンツ表示システムの構成を説明する図
【図２】本発明の実施の形態におけるシステム運営者サーバの構成を示すブロック図
【図３】本発明の実施の形態における端末装置のメイン画面の表示例を示す図
【図４】本発明の実施の形態における端末装置のＷｅｂ閲覧トップ画面の表示例を示す図
【図５】本発明の実施の形態のコンテンツ表示システムにおけるプレビュー表示処理の流れを説明するシーケンス図
【発明を実施するための形態】
【００１６】
以下、本発明の実施の形態のコンテンツ表示システムについて、図面を用いて説明する。本実施の形態では、デジタル機器を使い慣れない利用者（例えば高齢者など）のためのコンテンツ表示システム等に用いられる場合を例示する。
【００１７】
本発明の実施の形態のコンテンツ表示システムの構成を、図面を参照して説明する。図１は、本実施の形態のコンテンツ表示システムの構成を示す図である。図１に示すように、コンテンツ表示システム１は、端末装置２とシステム運営者サーバ３と提携企業サーバ４とで構成される。なお、図１では、説明の便宜上、端末装置２が１台だけ図示されているが、端末装置２の台数は、２台以上であってよい。同様に、図１では、提携企業サーバ４が２台だけ図示されているが、提携企業サーバ４の台数は、１台でもよく、３台以上であってもよい。
【００１８】
端末装置２は、警備対象である顧客の住宅等に設置されて警備の設定・管理等を行うとともに、Ｗｅｂ閲覧（Ｗｅｂページのコンテンツ表示）を行うこともできる警備システム用のコントローラである。システム運営者は、警備システムとＷｅｂ閲覧システム（コンテンツ表示システム１）を運営する者であり、システム運営者サーバ３は、システム運営者によって管理運営されるサーバである。提携企業サーバ４は、システム運営者と提携関係にある企業（提携企業）によって管理運営されるサーバであり、それらの提携企業の中には、端末装置２やそれを用いたサービス契約（例えば、本実施の形態では、警備サービスの契約）の受注代行や受注仲介などの販売支援を行う販売支援業者も含まれている。
【００１９】
システム運営者サーバ３と端末装置２とは、第１のセキュア通信ネットワーク５によって接続されている。例えば、第１のセキュア通信ネットワーク５は、インターネットであり、システム運営者サーバ３と端末装置２とは、インターネットを介してｈｔｔｐｓ（Hypertext Transfer Protocol over Secure Socket Layer）による暗号化通信を行う。システム運営者サーバ３と提携企業サーバ４とは、第２のセキュア通信ネットワーク６によって接続されている。例えば、システム運営者サーバ３と提携企業サーバ４とは、第２のセキュア通信ネットワーク６を介してＶＰＮ（Virtual Private Network）による暗号化通信を行う。
【００２０】
ここでは図示を省略するが、端末装置２は、システム運営者サーバ３との通信（ｈｔｔｐｓによる暗号化通信）を行うための通信部と、警備設定画面やＷｅｂページ画面などを表示するための表示部と、利用者（端末装置２のユーザ）が様々な入力操作を行うための入力部を備えている。例えば、表示部は液晶パネルであり、入力部はタッチセンサであり、タッチセンサと液晶パネルとが組み合わせされてタッチパネルが構成されてもよい。
【００２１】
端末装置２は、警備対象箇所に備えられたカメラや各種センサ等の警備用機器と有線又は無線で接続され、警備用機器から画像、センサ検出値を受けてこれを表示部に表示する機能を備えている。また、端末装置２は、入力部からのユーザの入力に応じて、各種の警備の設定を行う機能や、コントロールセンタに、ユーザの帰宅や警備の設定等の入力情報を送信する機能、警備用機器のセンサ検出値を送信する等の機能を備えている。さらに、この端末装置２は、後述するように、提携企業サーバ４から提供されるＷｅｂコンテンツを表示（Ｗｅｂページを閲覧）する機能を備えている。
【００２２】
図２は、本実施の形態におけるシステム運営者サーバ３の構成を示すブロック図である。図２に示すように、システム運営者サーバ３は、端末装置２との通信（ｈｔｔｐｓによる暗号化通信）を行うための端末側通信部７と、提携企業サーバ４との通信（ＶＰＮによる暗号化通信）を行うためのサーバ側通信部８を備えている。また、システム運営者サーバ３は、提携企業サーバ４から提供されるＷｅｂコンテンツを記憶しておく提携企業コンテンツ記憶部９と、それらのＷｅｂコンテンツを端末装置２へ提供する提携企業コンテンツ提供部１０とを備えている。
【００２３】
端末装置２のユーザは、システム運営者サーバ３が仲介する範囲で、所望するＷｅｂページを閲覧する。具体的には、端末装置２により、システム運営者サーバ３に予め登録された提携企業サイトの中から所望する企業のＷｅｂページが指定され、システム運営者サーバ３が、該当する提携企業サーバ４からＷｅｂページのコンテンツを取得して、端末装置２に送信する。
【００２４】
提携企業コンテンツ提供部１０は、提携企業から提供されるＷｅｂページの一覧表示及びユーザが閲覧登録したＷｅｂページを選択可能に表示するための一覧表示処理部１１と、それらのＷｅｂコンテンツに対する端末装置２からの本表示要求又はプレビュー要求を受け付ける要求受付部１２と、これらの要求に対応するコンテンツを提携企業サーバ４から取得して、本表示用又はプレビュー表示用のコンテンツとして端末装置２に提供する表示処理部１３を備えている。
【００２５】
本実施の形態において、「プレビュー表示」とは、ユーザが閲覧の登録をしていない提携企業のＷｅｂコンテンツを参照する場合の表示機能である。即ち、通常は、ユーザが事前に閲覧の登録をした提携企業について、本表示用のＷｅｂコンテンツを参照可能としつつ、閲覧の登録をしていない提携企業のＷｅｂページについては、「プレビュー表示」の機能により、一定の制限下で、Ｗｅｂページの閲覧を可能としている。
【００２６】
本実施の形態の表示処理部１３は、プレビュー表示用のコンテンツ上での端末装置２からの文字入力を禁止する処理を施す機能を備えている。例えば、端末装置２に、Ｗｅｂコンテンツ上での文字入力用のアプリケーション（キーボードアプリケーション）が実装されている場合には、表示処理部１３は、アプリケーションを起動させない信号を端末装置２に送ることにより、プレビュー表示用のコンテンツ上での端末装置２からの文字入力を禁止することができる。
【００２７】
また、提携企業サーバ４により提供されるＷｅｂコンテンツに、コンテンツ上での文字入力用のボタンに埋め込まれるリンクや文字入力用のウィンドウを表示するためのリンク（ソフトウェアキーボード用のＵＲＬへのリンク）が含まれている場合には、表示処理部１３は、そのリンクを無効にすることにより、プレビュー表示用のコンテンツ上での端末装置２からの文字入力を禁止することができる。
【００２８】
ここで、端末装置２の表示部での表示例について説明しておく。図３は、端末装置２の表示部の表示例（表示画面の例）を示す図であり、具体的には、端末装置２を立ち上げたときに最初に表示されるメイン画面の一例が示されている。図３の例では、メイン画面には、警備に関する入力を行うためのアイコンのほかに、モードを切り替えるためのアイコンとして、メニューアイコンとともに、Ｗｅｂ閲覧用アイコンＩ１が含まれている。
【００２９】
端末装置２のユーザが、端末装置２のタッチパネル上でこのアイコンＩ１をタッチすると、システム運営者サーバ３の一覧表示処理部１１にユーザおよび端末装置２をそれぞれ識別する識別情報が送信され、この応答として一覧表示処理部１１から対応するＷｅｂ閲覧トップ画面が送信されて、端末装置２に表示される。このために、一覧表示処理部１１は、Ｗｅｂ閲覧トップ画面をユーザの識別情報に対応させてユーザ毎に記憶している。なお、このＷｅｂ閲覧トップ画面は、端末装置２に記憶されていてもよい。
【００３０】
図４は、Ｗｅｂ閲覧トップ画面の表示例を示す図である。図４に示すように、Ｗｅｂ閲覧トップ画面には、システム運営者の提携企業のうちの、端末装置２のユーザがＷｅｂページの閲覧を登録した企業のバナーが、その企業用のＷｅｂページ表示ボタンとして表示される。このバナーにタッチすることで、該当する企業のＷｅｂページの本表示要求が、システム運営者サーバ３に送信され、システム運営者サーバ３を介して本表示用コンテンツが取得されて表示される。図４の例では、Ｗｅｂ閲覧トップ画面には、１つの大きなバナーＢ１と複数の小さなバナーＢ２〜Ｂ４が含まれている。また、Ｗｅｂ閲覧トップ画面には、バナーの登録をするための企業一覧アイコンＩ２が含まれている。企業一覧アイコンＩ２をタッチすると、企業の一覧表示が行われる。
【００３１】
一覧表示された企業の中から所望の企業を選択することにより、システム運営者サーバ３にプレビュー要求が送信され、その企業のプレビュー表示用のＷｅｂページが表示され、プレビュー表示として一定の制限の下でＷｅｂページを閲覧することができる。そして、所望する企業のＷｅｂページに対して登録操作をすることで、一覧表示処理部１１が記憶するＷｅｂ閲覧トップ画面に該当企業のバナーが登録され、閲覧登録が行われる。なお、登録した企業のバナーが複数頁にわたってもよく、その場合には頁送りアイコンＩ３によって、表示する頁を前後させることができる。
【００３２】
このように、Ｗｅｂページの閲覧登録をしておくことで、ユーザは簡易な操作で多くの提携企業の中から所望の企業のＷｅｂページを呼び出してＷｅｂコンテンツを参照することができる。この閲覧登録をするときに、あわせて端末装置２の識別情報とユーザの個人情報を、閲覧登録する提携企業に送信して、以後Ｗｅｂページにアクセスするときに、最適なコンテンツが表示されるようにしてもよい。
【００３３】
本実施の形態のコンテンツ表示システム１に特有のプレビュー表示機能は、端末装置２のユーザが、一覧表示から各企業のＷｅｂページを選択して閲覧しながら、どの企業についてＷｅｂページの閲覧登録すべきかを決めるときに用いられる機能である。すなわち、本実施の形態のプレビュー表示機能は、通常、バナーＢ１〜Ｂ４による簡易なＷｅｂページ閲覧の登録を行っていないＷｅｂぺージを確認するために利用される機能であって、未登録のＷｅｂページやそのＷｅｂページに含まれるコンテンツ（Ｗｅｂコンテンツ）に対する参考表示機能である、と言うこともできる。
【００３４】
以下、本実施の形態のコンテンツ表示システム１におけるプレビュー表示処理の流れを、図５のシーケンス図を参照しながら説明する。
【００３５】
図５に示すように、端末装置２で企業の一覧表示が行われているときに（Ｓ１）、一覧表示された企業の中から所望の企業を選択すると、その企業により提供されるＷｅｂコンテンツ（Ｗｅｂページ）に対するプレビュー要求が、端末装置２からシステム運営者サーバ３へ送られる（Ｓ２）。システム運営者サーバ３は、端末装置２からプレビュー要求を受け付けると、そのプレビュー要求に対応するＷｅｂコンテンツを要求するコンテンツ要求を、提携企業サーバ４へ送信する（Ｓ３）。
【００３６】
提携企業サーバ４は、システム運営者サーバ３からコンテンツ要求を受け付けると、そのコンテンツ要求に対応するＷｅｂコンテンツをシステム運営者サーバ３へ送る（Ｓ４）。システム運営者サーバ３は、提携企業サーバ４から受け取ったＷｅｂコンテンツに対するキーボード入力禁止処理を施して（Ｓ５）、プレビュー表示用のＷｅｂコンテンツとして端末装置２へ送信する（Ｓ６）。端末装置２は、システム運営者サーバ３から受け取ったプレビュー表示用のＷｅｂコンテンツを用いて、Ｗｅｂコンテンツの表示（Ｗｅｂページの閲覧）を行う（Ｓ７）。ユーザが端末装置２により表示されたＷｅｂコンテンツ内のリンクを選択すると、端末装置２は、リンク先のＷｅｂコンテンツについてプレビュー要求を行い（Ｓ２）、それ以降、同様の処理を繰り返す。
【００３７】
このような本実施の形態のコンテンツ表示システム１によれば、プレビュー表示用のＷｅｂコンテンツ上で端末装置２からのキーボード入力が禁止されるので、端末装置２のユーザ（利用者）がプレビューでＷｅｂコンテンツを閲覧しているときに、不用意に個人情報等を入力してしまうのを防止することができる。
【００３８】
すなわち、本実施の形態では、提携企業サーバ４により提供されるＷｅｂコンテンツについて利用者が閲覧登録をしていないＷｅｂコンテンツを端末装置２でプレビュー表示（参考表示）しようとするときには、端末装置２からシステム運営者サーバ３へプレビュー要求が送られる。システム運営者サーバ３は、そのプレビュー要求に対応するＷｅｂコンテンツを提携企業サーバ４から取得して、プレビュー表示用のＷｅｂコンテンツとして端末装置２に提供する。このとき、プレビュー表示用のＷｅｂコンテンツには、そのＷｅｂコンテンツ（プレビュー表示用のＷｅｂコンテンツ）上での端末装置２からのキーボード入力を禁止する処理が施される。したがって、利用者（端末装置２のユーザ）がプレビューでＷｅｂコンテンツを閲覧しているときに、真に必要なＷｅｂコンテンツでないにも拘わらず、不用意に個人情報等を入力してしまうのを防止することができる。
【００３９】
例えば、Ｗｅｂコンテンツ上でのキーボード入力用のアプリケーション（キーボードアプリケーション）が端末装置２に実装されている場合には、キーボード入力禁止処理（Ｓ６）で、システム運営者サーバ３から送られる信号により、プレビュー表示用のＷｅｂコンテンツ上では、キーボードアプリケーションが起動されないように制御され、不用意に個人情報等を入力してしまうのを防止することができる。
【００４０】
あるいは、提携企業サーバ４により提供されるＷｅｂコンテンツに、そのＷｅｂコンテンツ上での文字入力を行う文字入力ボタンに埋め込まれたリンクやキーボード入力用のウィンドウを表示するためのリンク（ソフトウェアキーボード用のＵＲＬへのリンク）が含まれている場合には、システム運営者サーバ３でそのリンクを無効にすることにより、プレビュー表示用のＷｅｂコンテンツ上でキーボード用のボタンが機能しないようにされ、不用意に個人情報等を入力してしまうのを防止することができる。
【００４１】
また、本実施の形態のコンテンツ表示システム１では、端末装置２とシステム運営者サーバ３、システム運営者サーバ３と提携企業サーバ４とが、それぞれセキュア通信ネットワーク５、６で接続されており、端末装置２で閲覧可能なＷｅｂコンテンツを、すべてシステム運営者サーバ３で中継して管理することができる。したがって、端末装置２の利用者に、信頼性の高いＷｅｂコンテンツのみを提供することができ、デジタル機器を使い慣れない利用者（例えば高齢者など）であっても安心してＷｅｂ閲覧をすることができる。
【００４２】
以上、本発明の実施の形態を例示により説明したが、本発明の範囲はこれらに限定されるものではなく、請求項に記載された範囲内において目的に応じて変更・変形することが可能である。
【産業上の利用可能性】
【００４３】
以上のように、本発明にかかるコンテンツ表示システムは、端末装置のユーザ（利用者）がプレビューでコンテンツを閲覧しているときに、不用意に個人情報等を入力してしまうのを防止することができるという効果を有し、デジタル機器を使い慣れない利用者（例えば高齢者など）のためのコンテンツ表示システム等として有用である。
【符号の説明】
【００４４】
１  コンテンツ表示システム
２  端末装置
３  システム運営者サーバ
４  提携企業サーバ
５  第１のセキュア通信ネットワーク
６  第２のセキュア通信ネットワーク
７  端末側通信部
８  サーバ側通信部
９  提携企業コンテンツ記憶部
１０  提携企業コンテンツ提供部
１１  一覧表示処理部
１２  要求受付部（プレビュー要求受付部）
１３  表示処理部（プレビュー表示処理部）
【図１】
0005945411.tif 000002
【図２】
0005945411.tif 000003
【図３】
0005945411.tif 000004
【図４】
0005945411.tif 000005
【図５】
0005945411.tif 000006